(57)【要約】【課題】被測定者の自然な姿勢で高精度な血圧測定をすることができる架台付血圧測定装置を提供する。【解決手段】架台１４は、基台３６と血圧測定器１２との間に設けられ、血圧測定器１２を、その重心Ｗの回動範囲Ａ内に含まれると共に水平状態の血圧測定器１２の重心Ｗを通る鉛直線Ｃ０に直交する水平軸心Ｃ１まわりの回動可能に支持し、円筒状の腕帯保護ケース部２２の上下方向の回動を許容する回動支持装置４０を備えることから、被測定者の自然な姿勢での上腕部の傾き状態に応じて上端部の長手方向と腕帯保護ケース部２２の軸心方向とが略平行になるように腕帯保護ケース部２２が上下方向に回動させられつつも、血圧測定器１２の荷重が血圧測定用腕帯２０に局部的に作用することが抑制されるので、血圧測定用腕帯２０によって上腕部の血管がその長手方向において均一に圧迫される。【選択図】図２
2011255009.tif 000002
【特許請求の範囲】
【請求項１】
生体の上腕部を挿し通すように円筒状に巻かれた膨張袋を有する血圧測定用腕帯と、該血圧測定用腕帯の外周を覆う円筒状の腕帯保護ケース部を有するケースとを含み、該血圧測定用腕帯が該生体の上腕部を圧迫することにより血圧測定を行う血圧測定器と、
該血圧測定器を支持する架台と
を備えた架台付血圧測定装置であって、
前記架台は、
前記血圧測定器を支持する基台と、
該基台と該血圧測定器との間に設けられ、該基台に支持された該血圧測定器を、所定の水平軸心と直交する鉛直線を含む予め設定された該血圧測定器の重心の回動範囲内で該水平軸心まわりに回動可能に支持し、前記円筒状の腕帯保護ケース部の上下方向の回動を許容することを特徴とする上下回動支持装置と
を、備えることを特徴とする架台付血圧測定装置。
【請求項２】
前記鉛直線は、前記血圧測定器が水平であるときの該血圧測定器の重心を通ることを特徴とする請求項１の架台付血圧測定装置。
【請求項３】
前記架台は、前記基台に支持された前記血圧測定器を、前記鉛直線と一致する鉛直軸心まわりの回動可能に支持し、前記円筒状の腕帯保護ケース部の水平方向の回動を許容する水平回動支持装置を備えることを特徴とする請求項１または２の架台付血圧測定装置。
【請求項４】
前記血圧測定器が載置される天板を前記基台上に備え、
前記上下回動支持装置は、該基台と該天板との間に設けられている
ことを特徴とする請求項１乃至３のいずれか１の架台付血圧測定装置。
【請求項５】
前記水平回動支持装置は、前記上下回動支持装置と前記基台との間に設けられていることを特徴とする請求項４の架台付血圧測定装置。
【発明の詳細な説明】
【技術分野】
【０００１】
本発明は、膨張袋を有する血圧測定用腕帯を生体の上腕部に巻き付けて血圧測定を行う架台付血圧測定装置に関するものである。
【背景技術】
【０００２】
生体の血圧値を測定するに際しては、その生体の上腕部の動脈を圧迫するために、膨張袋を有する血圧測定用腕帯が手または巻付装置により上腕部に巻き付けられ、その後、上記膨張袋への空気の供給、排出が行われて血圧値が測定される。この血圧測定用腕帯の巻き付け強さは例えば３本の手指が血圧測定用腕帯と上腕部との間に差し入れられる程度が良いとされているが、血圧測定用腕帯が巻き付けられる上腕部はきわめて容易に弾性変形するため、巻付操作に熟練を要するだけでなく、巻き付け強さがばらつくことが避け難く、血圧値の測定精度が充分に得られないという問題があった。そこで、上記巻付操作を自動的に行う血圧測定器を備えた架台付血圧測定装置が開示されている。例えば、特許文献１に記載されたものがそれである。上記血圧測定器は、生体の上腕部を挿し通すように円筒状に巻かれた膨張袋を有する血圧測定用腕帯と、その血圧測定用腕帯の外周を覆う円筒状の腕帯保護ケース部を有するケースとを備え、上記血圧測定用腕帯が生体の上腕部を圧迫することにより血圧測定を行うものである。
【先行技術文献】
【特許文献】
【０００３】
【特許文献１】特開２００７−１３０２８４号公報
【発明の概要】
【発明が解決しようとする課題】
【０００４】
ところで、上記従来の血圧測定装置においては、血圧測定用腕帯と腕帯保護ケース部とを含む部材が、水平方向においてその部材の重心から離れて位置する一軸心まわりに回動可能に設けられている。そのため、上記血圧測定装置で血圧測定が行われるときには、腕帯保護ケース部を含む部材の荷重が、円筒状の血圧測定用腕帯のうちの上記一軸心から離れた一端部に局所的に作用してしまう。血圧測定を行うに際しては、上腕部の血管がその長手方向において均一に圧迫された状態にする必要があるが、上記従来の血圧測定装置においては、円筒状の血圧測定用腕帯の一端部と他端部とで上腕部に対する圧迫力が異なり、上腕部の血管をその長手方向において均一に圧迫することができないという問題があった。その結果、血圧測定精度が充分に得られないという問題があった。
【０００５】
なお、上記血圧測定用腕帯と腕帯保護ケース部とを含む部材が回動不能に設けられ、上腕部の長手方向と円筒状の血圧測定用腕帯の軸心方向とが一致するように被測定者が姿勢を変更することで上記問題が解消されるようにも思われる。しかしながら、上腕部の長手方向と血圧測定用腕帯の軸心方向とを一致させるための姿勢の変更および維持を被測定者側に行わせることは、その体格によっては不自然な姿勢を強いることになり、特に姿勢を自由に変更することが困難な患者や老人等の場合には難しく、血圧測定精度が充分に得られないという問題があった。
【０００６】
本発明は以上の事情を背景として為されたものであり、その目的とするところは、被測定者の自然な姿勢で高精度な血圧測定をすることができる架台付血圧測定装置を提供することにある。
【課題を解決するための手段】
【０００７】
かかる目的を達成するための請求項１にかかる発明の要旨とするところは、(a-1) 生体の上腕部を挿し通すように円筒状に巻かれた膨張袋を有する血圧測定用腕帯と、その血圧測定用腕帯の外周を覆う円筒状の腕帯保護ケース部を有するケースとを含み、その血圧測定用腕帯が前記生体の上腕部を圧迫することにより血圧測定を行う血圧測定器と、(a-2) その血圧測定器を支持する架台とを備えた架台付血圧測定装置であって、(b) 前記架台は、(b-1) 前記血圧測定器を支持する基台と、(b-2) その基台と血圧測定器との間に設けられ、その基台に支持された前記血圧測定器を、所定の水平軸心と直交する鉛直線を含む予め設定された前記血圧測定器の重心の回動範囲内で前記水平軸心まわりに回動可能に支持し、前記円筒状の腕帯保護ケース部の上下方向の回動を許容することを特徴とする上下回動支持装置とを、備えることにある。
【０００８】
また、請求項２にかかる発明の要旨とするところは、請求項１にかかる発明において、前記鉛直線は、前記血圧測定器が水平であるときのその血圧測定器の重心を通ることにある。
【０００９】
また、請求項３にかかる発明の要旨とするところは、請求項１または２にかかる発明において、前記架台は、前記基台に支持された前記血圧測定器を、前記鉛直線と一致する鉛直軸心まわりの回動可能に支持し、前記円筒状の腕帯保護ケース部の水平方向の回動を許容する水平回動支持装置を備えることにある。
【００１０】
また、請求項４にかかる発明の要旨とするところは、請求項１乃至３のいずれか１にかかる発明において、(a) 前記血圧測定器が載置される天板を前記基台上に備え、(b) 前記上下回動支持装置は、その基台と天板との間に設けられていることにある。
【００１１】
また、請求項５にかかる発明の要旨とするところは、請求項４にかかる発明において、前記水平回動支持装置は、前記上下回動支持装置と前記基台との間に設けられていることにある。
【発明の効果】
【００１２】
請求項１にかかる発明の架台付血圧測定装置によれば、架台は、血圧測定器を支持する基台と、その基台と血圧測定器との間に設けられ、その基台に支持された血圧測定器を、所定の水平軸心と直交する鉛直線を含む予め設定された前記血圧測定器の重心の回動範囲内で前記水平軸心まわりに回動可能に支持し、円筒状の腕帯保護ケース部の上下方向の回動を許容することを特徴とする上下回動支持装置とを、備えることから、被測定者の自然な姿勢での上腕部の傾き状態に応じてその上端部の長手方向と円筒状の腕帯保護ケース部（血圧測定用腕帯）の軸心方向とが略平行になるようにその腕帯保護ケース部が上下方向に回動させられつつも、その回動中心である水平軸心が血圧測定器の重心の回動範囲内に含まれる前記鉛直線上に位置するために、血圧測定器の荷重が血圧測定用腕帯に局部的に作用することが抑制されるので、血圧測定用腕帯によって上腕部の血管がその長手方向において均一に圧迫され、被測定者の自然な姿勢で高精度な血圧測定をすることができる。
【００１３】
また、請求項２にかかる発明の架台付血圧測定装置によれば、前記鉛直線は、前記血圧測定器が水平であるときのその血圧測定器の重心を通ることから、被測定者の自然な姿勢での上腕部の傾き状態に応じてその上端部の長手方向と円筒状の腕帯保護ケース部（血圧測定用腕帯）の軸心方向とが略平行になるようにその腕帯保護ケース部が上下方向に回動させられつつも、その回動中心が水平状態の血圧測定器の重心を通る鉛直線上に位置するために、その血圧測定器の荷重が血圧測定用腕帯に局部的に作用することが抑制されるので、血圧測定用腕帯によって上腕部の血管がその長手方向において均一に圧迫され、被測定者の自然な姿勢で高精度な血圧測定をすることができる。
【００１４】
また、請求項３にかかる発明の架台付血圧測定装置によれば、前記架台は、前記基台に支持された前記血圧測定器を、前記鉛直線と一致する鉛直軸心まわりの回動可能に支持し、前記円筒状の腕帯保護ケース部の水平方向の回動を許容する水平回動支持装置を備えることから、被測定者の自然な姿勢での上腕部の傾き状態に応じてその上端部の長手方向と円筒状の腕帯保護ケース部の軸心方向とが略平行になるようにその腕帯保護ケース部が水平方向に回動させられるので、血圧測定用腕帯によって上腕部の血管がその長手方向において均一に圧迫され、被測定者の自然な姿勢で高精度な血圧測定をすることができる。
【００１５】
また、請求項４にかかる発明の架台付血圧測定装置によれば、前記血圧測定器が載置される天板を前記基台上に備え、前記上下回動支持装置は、その基台と天板との間に設けられていることから、腕帯保護ケース部の上下方向回動機能を実現しつつも血圧測定器と架台とを別々に構成することができるので、運搬性や収納性に優れた架台付血圧測定装置が得られる。また、複数種類の血圧測定器を製品ラインナップに加える場合であっても、架台は共通のものを用いることができるので、架台製作のコストを削減することができる。
【００１６】
また、請求項５にかかる発明の架台付血圧測定装置によれば、前記水平回動支持装置は、前記上下回動支持装置と前記基台との間に設けられていることから、腕帯保護ケース部の水平方向回動機能を実現しつつも血圧測定器と架台とを別々に構成することができるので、運搬性や収納性に優れた架台付血圧測定装置が得られる。また、複数種類の血圧測定器を製品ラインナップに加える場合であっても、架台は共通のものを用いることができるので、架台製作のコストを削減することができる。
【図面の簡単な説明】
【００１７】
【図１】本発明の一実施例の架台付血圧測定装置を示す斜視図である。
【図２】図１の血圧測定器と架台の一部とを示す側面図である。
【図３】図１の架台の上部を示す斜視図である。
【図４】図３の架台に備えられた回転支持装置を上方から見た斜視図である。
【図５】図４の回転支持装置の水平軸心に直交する断面を示す断面図である。
【図６】図３のVI矢視部を示す架台の側面図である。
【図７】図４の回転支持装置を下方から見た斜視図である。
【図８】図３に示す架台のうち、天板および回転支持装置を除いて示した斜視図である。
【発明を実施するための最良の形態】
【００１８】
以下、本発明の一実施例を図面を参照して詳細に説明する。なお、以下の実施例において図は適宜簡略化或いは変形されており、各部の寸法比および形状等は必ずしも正確に描かれていない。
【実施例】
【００１９】
図１は、本発明の一実施例の架台付血圧測定装置１０を示す斜視図である。図１において、架台付血圧測定装置１０は、血圧測定器１２と、それを支持する架台１４とを備えている。
【００２０】
図２は、図１の血圧測定器１２と架台１４の一部とを示す側面図である。図２において、血圧測定器１２は、生体の上腕部を挿し通すように円筒状に巻かれた膨張袋１６を有する血圧測定用腕帯２０と、その血圧測定用腕帯２０の外周を覆う円筒状の腕帯保護ケース部２２を有するケース２４と、上記膨張袋１６内に空気を圧送するための図示しない空気ポンプとを備えている。なお、血圧測定用腕帯２０の内周側には、上腕部の抜き挿しが容易に行えるように、腕帯保護ケース部２２に装着された円筒状の腕帯内布２６が設けられている。
【００２１】
また、血圧測定器１２は、血圧測定用腕帯２０が被測定者の上腕部を圧迫することにより血圧測定を行う血圧測定制御を実施する電子制御装置２８を備えている。この電子制御装置２８は、ＣＰＵ、ＲＯＭ、ＲＡＭ、インターフェースなどから成る所謂マイクロコンピュータを備え、ＣＰＵがＲＡＭの一時記憶機能を利用しつつ予めＲＯＭに記憶されたプログラムに従って入力信号を処理することで血圧測定制御を実行するものである。具体的には、電子制御装置２８は、所定の測定開始ボタンが押される等の血圧測定開始操作が行われると、膨張袋１６へ空気が圧送されるように前記空気ポンプに指令を出力してその膨張袋１６の内周側に挿し通された被測定者の上腕部に対する圧迫圧を急速昇圧し、その圧迫圧が最高血圧値よりも高く予め設定された目標圧迫圧に到達すると、上記空気ポンプを停止させると同時に、排気制御弁から上記膨張袋１６内の空気を徐々に排出させて圧迫圧を所定の降圧速度たとえば５mmHg/sec程度の速度で徐速降圧させ、この徐速降圧の過程で、膨張袋１６の圧迫圧に含まれる脈動成分である脈波をバンドパスフィルタで抽出すると共にその脈波の振幅を記憶し、たとえばその脈波振幅が急激に変化したときの圧迫圧を血圧値として決定する。本実施例の血圧測定器１２は、動脈を圧迫するために上腕部に巻回された血圧測定用腕帯２０の圧迫圧を連続的に変化させる過程で心拍に同期して発生する圧迫圧の脈動の振幅変化に基づいて最高血圧値および最低血圧値を決定するオシロメトリック方式（JIS T 1115）の血圧測定方式が採用されたものである。
【００２２】
図１および図２に示すように、前記架台１４は、円板状の脚部３０と、その脚部３０の上面から上方へ突き出して設けられた支柱３２と、その支柱３２の上端部から略水平方向へ突き出して設けられた腕部３４とを有して血圧測定器１２を支持する基台３６を備えている。
【００２３】
そして、架台１４は、図２に示すように、上記基台３６上に設けられて血圧測定器１２が載置された天板３８と、その天板３８と基台３６との間に設けられ、血圧測定器１２および天板３８を、水平状態の血圧測定器１２の重心Ｗを通り且つ所定の水平軸心Ｃ１と直交する鉛直線Ｃ０を含む予め設定された血圧測定器１２の重心Ｗの回動範囲Ａ内で、上記水平軸心Ｃ１まわりに回動可能に支持し、円筒状の腕帯保護ケース部２２の上下方向の回動を許容すると共に、血圧測定器１２および天板３８を、上記鉛直線Ｃ０と一致する鉛直軸心Ｃ２まわりの回動可能に支持し、腕帯保護ケース部２２の水平方向の回動を許容する回動支持装置４０とを、備えている。上記回動支持装置４０は、本発明における上下回動支持装置および水平回動支持装置に相当するものである。
【００２４】
図３は、血圧測定器１２が載置されていない状態の架台１４の上部を示す斜視図である。また、図４は、架台１４に備えられた回転支持装置４０を上方から見た斜視図である。また、図５は、回転支持装置４０の水平軸心Ｃ１に直交し、且つ後述の保持部５４ａを含む断面を示す断面図である。回転支持装置４０は、水平軸心Ｃ１を曲率中心線とする半円筒面状の軸受面４２（図５参照）が上面に形成された直方体状の軸受部材４４と、長手方向の両端部が上下方向に潰されて板状とされた管状部材であって、長手方向の中央部が水平軸心Ｃ１まわりの回動可能に軸受部材４４の軸受面４２に受けられると共に、図３および図３のVI矢視部を示す図６に示すように両端部がそれぞれボルト４６およびナット４８によって天板３８の下面に締結された軸部材５０と、その軸部材５０が軸受面４２から抜け出ることを防止しつつその軸部材５０に所定の回転抵抗を与えるために、図４および図５に示すように軸部材５０の中央部を軸受部材４４の軸受面４２に向けて押圧した状態でボルト５２により軸受部材４４に固定された軸保持部材５４と、軸受部材４４の水平軸心Ｃ１に平行な２つの側面からそれぞれ水平軸心Ｃ１から離間する側へ一体に突設され、図６に２点鎖線で示すように水平軸心Ｃ１まわりに回動する天板３８の下面と当接してその天板３８の水平軸心Ｃ１まわりの回動を規制するストッパ部材５６とを、備えている。
【００２５】
上記軸保持部材５４は、図５に示すように、内周面が軸部材５０の上面に摺動可能に設けられた半円筒状の保持部５４ａと、その保持部５４ａから水平軸心Ｃ１とは反対側の水平方向へ一体に突設されてボルト５２により軸受部材４４に固定された固定部５４ｂとを有し、例えば合成樹脂等の可撓性を有する材料から成形されている。この軸保持部材５４は、ボルト５２の締付具合に応じて保持部５４ａの軸部材５０への押圧力が変化させられるようになっており、軸部材５０の水平軸心Ｃ１まわりの回転抵抗は、上記保持部５４ａの軸部材５０への押圧力に応じて変化させられるようになっている。
【００２６】
なお、本実施例のストッパ部材５６は、図６において実線で示す水平状態の天板３８が、図６において２点鎖線で示すように、水平軸心Ｃ１まわりの一方向へ１０°および水平軸心Ｃ１まわりの他方向へ５°回動可能なように、換言すれば血圧測定器１２の重心Ｗが鉛直線Ｃ０に対して上記一方向および他方向へ振り分けられるように、上面すなわち天板３８との当接面の高さが設定されている。このようなストッパ部材５６の当接面の高さの設定によって、Ｗ’からＷ’’に示す重心Ｗの回動範囲Ａ内に水平状態における血圧測定器１２の重心Ｗを通る鉛直線Ｃ０が位置させられている。
【００２７】
図７は、回転支持装置４０を下方から見た斜視図である。また、図８は、図３に示す架台１４のうち、天板３８および回転支持装置４０を除いて示した斜視図である。図７に示すように、回転支持装置４０の軸受部材４４は、その下面から鉛直軸心Ｃ２方向の下方へ向けて突設された円筒状の突起５８を有している。また、図８に示すように、基台３６の腕部３４の先端部の上面に固設された円板状の支持部材６０は、鉛直軸心Ｃ２方向に貫通して設けられた嵌合穴６２を有している。上記軸受部材４４の突起５８は、支持部材６０の嵌合穴６２内に嵌め入れられており、これにより回転支持装置４０は、鉛直軸心Ｃ２まわりの回転可能とされている。上記支持部材６０は、その上面から上方へ突き出すように設けられ、図８に矢印ａおよびｂで示すように鉛直軸心Ｃ２まわりに回動する２点鎖線で示す軸受部材４４の側面と当接して天板３８の鉛直軸心Ｃ２まわりの回動を規制するストッパ部材６４を備えている。なお、本実施例のストッパ部材６４は、図８において２点鎖線で示す天板３８が、鉛直軸心Ｃ２まわりの一方向へ６０°および他方向へ６０°回動可能なように設定されている。
【００２８】
図２に示すように、血圧測定器１２の下面には、下方へ向けて突設された複数個（本実施例では５個）の半球体状突起６６が形成されている。また、図３に示すように、天板３８の上面には、血圧測定器１２の下面に形成された複数個の半球体状突起６６にそれぞれ対応する位置において、下方へ窪まされた複数の半球面状窪み６８がそれぞれ形成されている。血圧測定器１２は、その下面の複数の半球体状突起６６が天板３８の複数の半球面状窪み６８にそれぞれ嵌め込まれて載置されることにより、水平状態において血圧測定器１２の重心Ｗを通る鉛直線Ｃ０と回転支持装置４０の鉛直軸心Ｃ２とが一致するようになっている。
【００２９】
以上のように構成された架台付血圧測定装置１０では、被測定者の上腕部が血圧測定用腕帯２０内に挿し通されて所定の血圧測定開始操作が行われることにより、血圧測定が開始される。このとき、血圧測定器１２は、被測定者の自然な姿勢での上腕部の傾き状態に応じてその上腕部の長手方向と腕帯保護ケース部２２（血圧測定用腕帯２０）の軸心方向とが略平行となるように、水平軸心Ｃ１および鉛直軸心Ｃ２まわりにそれぞれ回動させられるようになっている。そのため、電子制御装置２８による血圧測定制御中には、血圧測定用腕帯２０によって上腕部の血管がその長手方向において均一に圧迫されるようになっている。
【００３０】
上述のように、本実施例の架台付血圧測定装置１０によれば、架台１４は、血圧測定器１２を支持する基台３６と、その基台３６と血圧測定器１２との間に設けられ、その基台３６に支持された血圧測定器１２を、水平状態の血圧測定器１２の重心Ｗを通り且つ所定の水平軸心Ｃ１と直交する鉛直線Ｃ０を含む予め設定された血圧測定器１２の重心Ｗの回動範囲Ａ内で、上記水平軸心Ｃ１まわりに回動可能に支持し、円筒状の腕帯保護ケース部２２の上下方向の回動を許容する上下回動支持装置として機能する回動支持装置４０とを、備えていることから、被測定者の上腕部の傾き状態に応じてその上端部の長手方向と円筒状の腕帯保護ケース部２２（血圧測定用腕帯２０）の軸心方向とが略平行になるようにその腕帯保護ケース部２２が上下方向に回動させられつつも、その回動中心である水平軸心Ｃ１が血圧測定器１２の重心Ｗの回動範囲Ａ内に含まれる鉛直線Ｃ０上に位置するために、血圧測定器１２の荷重が血圧測定用腕帯２０に局部的に作用することが抑制され、その血圧測定器１２の荷重が血圧測定用腕帯２０の膨張袋１６内の圧力に影響を与え難いので、血圧測定用腕帯２０によって上腕部の血管がその長手方向において均一に圧迫され、被測定者の自然な姿勢で高精度な血圧測定をすることができる。
【００３１】
また、本実施例の架台付血圧測定装置１０によれば、架台１４は、基台３６に支持された血圧測定器１２を、鉛直線Ｃ０と一致する鉛直軸心Ｃ１まわりの回動可能に支持し、円筒状の腕帯保護ケース部２２の水平方向の回動を許容する水平回動支持装置として機能する回動支持装置４０を備えていることから、被測定者の上腕部の傾き状態に応じてその上端部の長手方向と円筒状の腕帯保護ケース部２２（血圧測定用腕帯２０）の軸心方向とが略平行になるようにその腕帯保護ケース部２２が水平方向に回動させられ、血圧測定用腕帯２０によって上腕部の血管がその長手方向において均一に圧迫されるので、被測定者の自然な姿勢で高精度な血圧測定をすることができる。
【００３２】
また、本実施例の架台付血圧測定装置１０によれば、架台１４は、血圧測定器１２が載置される天板３８を基台３６上に備え、回動支持装置４０は、その基台３６と天板３８との間に設けられていることから、腕帯保護ケース部２２の上下方向回動機能および水平方向回動機能を実現しつつも血圧測定器１２と架台１４とを別々に構成することができるので、運搬性や収納性に優れた架台付血圧測定装置１０が得られる。また、複数種類の血圧測定器を製品ラインナップに加える場合であっても、架台は共通のものを用いることができるので、架台製作のコストを削減することができる。
【００３３】
以上、本発明の一実施例を図面を参照して詳細に説明したが、本発明はこの実施例に限定されるものではなく、別の態様でも実施され得る。
【００３４】
たとえば、血圧測定器１２は、オシロメトリック方式の血圧測定方式が採用されたものであったが、これに限らず、たとえば、動脈を圧迫するために上腕部に巻回された血圧測定用腕帯２０の圧迫圧を連続的に変化させる過程で発生するコロトコフ音の発生および消滅時の圧迫圧に基づいて最高血圧値および最低血圧値を決定するコロトコフ音方式（JIS T 1115）等の血圧測定方式が採用されたものであってもよい。
【００３５】
また、回転支持装置４０は、水平方向回動機能を必ずしも備えなくてよい。回転支持装置４０は、血圧測定器１２をその血圧測定器１２の重心Ｗを通る鉛直線Ｃ０上に位置する水平軸心Ｃ１まわりに回動可能とする上下方向回動機能を備えていればよい。
【００３６】
また、回転支持装置４０は、血圧測定器１２を水平軸心Ｃ１まわりの一方向へ１０°および水平軸心Ｃ１まわりの他方向へ５°回動可能なように構成されていたが、水平軸心Ｃ１まわりの回動角度は上記角度に限定されない。たとえば、２０°や３０°、或いはそれ以上回動可能に構成されてもよい。
【００３７】
また、回転支持装置４０は、血圧測定器１２を鉛直軸心Ｃ２まわりの一方向へ６０°およびおよび他方向へ６０°回動可能なように構成されていたが、鉛直軸心Ｃ２まわりの回動角度は上記角度に限定されない。たとえば、９０°や１８０°、或いはそれ以上回動可能に構成されてもよい。
【００３８】
また、架台１４は、天板３８を必ずしも備えなくてよい。たとえば、回動支持装置４０の軸部材５０が血圧測定器１２の下面に直接取り付けられてもよい。
【００３９】
また、基台３６は、脚部３０、支柱３２、および腕部３４を必ずしも備えなくてよい。たとえば、中央部に嵌合穴６２が形成された板状部材などにより構成されてもよい。
【００４０】
なお、上述したのはあくまでも一実施形態であり、その他一々例示はしないが、本発明は、その主旨を逸脱しない範囲で当業者の知識に基づいて種々変更、改良を加えた態様で実施することができる。
【符号の説明】
【００４１】
１０：架台付血圧測定装置
１２：血圧測定器
１４：架台
１６：膨張袋
２０：血圧測定用腕帯
２２：腕帯保護ケース部
２４：ケース
３８：天板
４０：回動支持装置（上下回動支持装置、水平回動支持装置）
Ｃ０：鉛直線
Ｃ１：水平軸心
Ｃ２：鉛直軸心
Ｗ：血圧測定器の重心
【図１】
2011255009.tif 000003
【図２】
2011255009.tif 000004
【図３】
2011255009.tif 000005
【図４】
2011255009.tif 000006
【図５】
2011255009.tif 000007
【図６】
2011255009.tif 000008
【図７】
2011255009.tif 000009
【図８】
2011255009.tif 000010